(57)【特許請求の範囲】
【請求項１】
商用電源から照明負荷への電源供給を入切するスイッチ手段と、照明負荷への電源供給が保持される保持時間をカウントするタイマー手段と、スイッチ手段をスイッチング制御しタイマー手段による保持時間のカウントが終了するまで照明負荷をオンさせる制御手段と、人体から放射される熱線を検出する熱線センサと、熱線センサの検出出力に基づいて検知エリアでの人の存在が検出されると検知出力を発生する判別手段と、周囲照度を検出する明るさセンサと、タイマー手段による保持時間のカウントをクリアするタイマークリアスイッチとを備え、制御手段は、明るさセンサにより検出された周囲照度が所定値以下であり且つ判別手段から検知出力が発生している場合にスイッチ手段を制御して照明負荷をオンするとともに、タイマークリアスイッチにより保持時間のカウントがクリアされたときにスイッチ手段を制御して照明負荷をオフする負荷制御装置であって、明るさセンサにより検出された周囲照度が所定値以下であり且つ判別手段から検知出力が発生している場合に制御手段によって制御されて外部に信号を出力する信号出力手段と、明るさセンサの検出照度に基づいた制御手段による信号出力手段の制御を入／切する信号出力用明るさセンサ入／切スイッチとを備えたことを特徴とする負荷制御装置。
【請求項２】
少なくともスイッチ手段、タイマー手段並びに制御手段が納装される器体を備え、この器体の内部に明るさセンサを配設して成ることを特徴とする請求項１記載の負荷制御装置。
【請求項３】
少なくともスイッチ手段、タイマー手段並びに制御手段が納装される器体を備え、この器体に明るさセンサを接続するためのセンサ接続端子を設けたことを特徴とする請求項１記載の負荷制御装置。
【請求項４】
明るさセンサの検出照度に基づいた制御手段によるスイッチ手段のスイッチング制御を入／切する明るさセンサ入／切スイッチを備えたことを特徴とする請求項１又は２又は３記載の負荷制御装置。
【発明の詳細な説明】
【０００１】
【発明の属する技術分野】
本発明は、負荷をオン・オフするとともに所定の保持時間だけ負荷のオン状態を保持する負荷制御装置に関するものである。
【０００２】
【従来の技術】
この種の負荷制御装置としては、従来より照明負荷への電源供給をリレーによってオン・オフ制御するようにしたものがある。例えば、人体から放射される熱線を検出する熱線センサの検知出力に基づいてリレーを駆動し、電源と照明負荷との間に挿入された接点をオン・オフすることによって照明負荷の点灯・消灯を制御するとともに、タイマー手段によって所定の保持時間がカウントされている間は照明負荷を点灯状態に保持するものである。
【０００３】
【発明が解決しようとする課題】
ところが、上記従来構成ではタイマー手段による保持時間のカウント中に強制的に照明負荷をオフするためには、照明負荷を常時オフとする手動切スイッチを操作しなければならず、次に熱線センサで人体が検知されても照明負荷を点灯させることができず、使い勝手が悪いという問題があった。
【０００４】
また、上記従来構成では周囲の明るさに関係なく、熱線センサにて人体が検知された場合には常に照明負荷をオンするようになっているため、一般家庭のトイレのように日中でも暗い場所に設置される場合にはよいが、例えばオフィスビルの会議室等に設置される場合には、日中は自然光によって充分な明るさが得られるから特に照明負荷をオンする必要がないにもかかわらず、会議室内に人が居る間は熱線センサによって人体が検知されて照明負荷がオンされることになり、無駄なエネルギを消費してしまうという問題があった。
【０００５】
本発明は上記問題点の解決を目的とするものであり、照明負荷を強制的にオフできて使い勝手がよく、且つ省エネルギ化が図れる負荷制御装置を提供しようとするものである。
【０００６】
【課題を解決するための手段】
請求項１の発明は、上記目的を達成するために、商用電源から照明負荷への電源供給を入切するスイッチ手段と、照明負荷への電源供給が保持される保持時間をカウントするタイマー手段と、スイッチ手段をスイッチング制御しタイマー手段による保持時間のカウントが終了するまで照明負荷をオンさせる制御手段と、人体から放射される熱線を検出する熱線センサと、熱線センサの検出出力に基づいて検知エリアでの人の存在が検出されると検知出力を発生する判別手段と、周囲照度を検出する明るさセンサと、タイマー手段による保持時間のカウントをクリアするタイマークリアスイッチとを備え、制御手段は、明るさセンサにより検出された周囲照度が所定値以下であり且つ判別手段から検知出力が発生している場合にスイッチ手段を制御して照明負荷をオンするとともに、タイマークリアスイッチにより保持時間のカウントがクリアされたときにスイッチ手段を制御して照明負荷をオフする負荷制御装置であって、明るさセンサにより検出された周囲照度が所定値以下であり且つ判別手段から検知出力が発生している場合に制御手段によって制御されて外部に信号を出力する信号出力手段と、明るさセンサの検出照度に基づいた制御手段による信号出力手段の制御を入／切する信号出力用明るさセンサ入／切スイッチとを備えたものであり、タイマークリアスイッチによって保持時間のカウントをクリアすることで照明負荷を強制的にオフすることができ、しかも、次に判別手段から検知出力が発生すればタイマー手段が最初からカウントを開始して所定の保持時間だけ照明負荷がオンとなるから、使い勝手が向上する。また、周囲照度に応じて必要な場合にのみ照明負荷をオンさせることができ、照明負荷の無駄な点灯をなくして省エネルギ化が図れる。さらに、信号出力用明るさセンサ入／切スイッチを切れば、照明負荷のオン・オフとは無関係に熱線センサによる人体検知の有無を信号出力手段からの信号に基づいて外部でモニタすることができる。
【０００８】
請求項２の発明は、請求項１の発明において、少なくともスイッチ手段、タイマー手段並びに制御手段が納装される器体を備え、この器体の内部に明るさセンサを配設して成るものであり、明るさセンサの設置スペースが不要となる。
請求項３の発明は、請求項１の発明において、少なくともスイッチ手段、タイマー手段並びに制御手段が納装される器体を備え、この器体に明るさセンサを接続するためのセンサ接続端子を設けたものであり、照明負荷をオンするか否かの照度判定に最適な場所に明るさセンサを設置することができる。
【０００９】
請求項４の発明は、請求項１又は２又は３の発明において、明るさセンサの検出照度に基づいた制御手段によるスイッチ手段のスイッチング制御を入／切する明るさセンサ入／切スイッチを備えたものであり、周囲照度に無関係に熱線センサによる人体検知にのみ基づいて照明負荷をオン・オフさせることができ、施工後の点検作業が容易に行えるようになる。
【００１１】
【発明の実施の形態】
以下、本発明を実施形態により詳細に説明する。なお、本実施形態は、照明負荷をオン・オフ制御する親器に熱線センサを具備した子器を接続して成る熱線センサ付負荷制御装置に関するものであるが、これに限らずスイッチ手段によって負荷のオン・オフを行うとともに、タイマー手段にて保持時間がカウントされている間は負荷のオン状態を保持する負荷制御装置全般に本発明の技術的思想が適用可能であることはいうまでもない。
【００１２】
図１は本実施形態を示すブロック図であり、商用電源ＡＣが接続される一対の電源端子Ｔ1 ，Ｔ1 と、照明負荷Ｌが接続される一対の負荷端子Ｔ2 ，Ｔ2 と、これら電源端子Ｔ1 ，Ｔ1 及び負荷端子Ｔ2 ，Ｔ2 を介して商用電源ＡＣと照明負荷Ｌの間に挿入される常開のリレー接点（以下、「主接点」と呼ぶ）ｒ0 と、主接点ｒ0 に連動して開閉される常開の補助リレー接点（以下、「従接点」と呼ぶ）ｒ1 と、主接点ｒ0 並びに従接点ｒ1 を開閉（オン・オフ）する図示しないラッチングリレーを具備したリレー駆動部２と、リレー駆動部２に対してラッチングリレーのセット信号（主接点ｒ0 をオンする方へラッチングリレーを駆動する信号）とリセット信号（主接点ｒ0 をオフする方へラッチングリレーを駆動する信号）を出力して主接点ｒ0 のオン・オフ制御を行う制御手段たるマイクロコンピュータ（以下、「マイコン」と略す）１と、従接点ｒ1 のオン・オフ状態を検出する従接点状態検出部３とを備えている。
【００１３】
一対の電源端子Ｔ1 ，Ｔ1 間にはラッチングリレーの駆動用電源などに利用される２４Ｖの直流電源を作成する第１の電源回路４と、マイコン１の動作電源などに利用される５Ｖの直流電源を作成する第２の電源回路５とが並列に接続されている。なお、第１の電源回路４の出力端間には、一対の信号出力端子Ｔ3 ，Ｔ3 間に挿入されて後述する信号出力用のリレー接点（以下、「信号接点」と呼ぶ）ｒs を開閉するリレーを具備した信号出力用リレー駆動部６がリレー駆動部２と並列に接続されている。
【００１４】
また、焦電素子のように人体から放射される熱線を検出する熱線センサＳを具備した子器Ｂが、主接点ｒ0 やマイコン１などを具備した上記親器Ａの具備する一対の子器接続端子Ｔ4 ，Ｔ4 に接続される。さらに、子器接続端子Ｔ4 ，Ｔ4 は子器インタフェース部７を介してマイコン１に接続されており、子器Ｂの熱線センサＳにより検知エリアでの人の存在が検出されると子器インタフェース部７からマイコン１へ人体検知信号が入力される。すなわち、本実施形態では子器インタフェース部７が判別手段となる。但し、かかる判別手段は子器Ｂ側に設けるようにしてもよい。なお、子器Ｂは１台しか図示していないが、子器接続端子Ｔ4 ，Ｔ4 には複数台の子器Ｂを接続することができる。
【００１５】
また、親器Ａが具備する一対のセンサ接続端子Ｔ5 ，Ｔ5 に明るさセンサＣが接続できるようになっている。この明るさセンサＣは例えばＣｄＳのような光電変換素子により周囲照度を電気信号に変換して出力するものであって、明るさセンサＣからの検出信号はセンサインタフェース部８を介してマイコン１に入力される。さらに、本実施形態では親器Ａに内蔵される内蔵形の明るさセンサＣ’がセンサ接続端子Ｔ5 ，Ｔ5 と並列にセンサインタフェース部８に接続されている。したがって、マイコン１では外付けの明るさセンサＣ並びに内蔵形の明るさセンサＣ’の検出出力に基づいて周囲照度を知り得るものである。
【００１６】
また、親器Ａにおいては、手動オンスイッチＳＷ1 、手動オフスイッチＳＷ2 、自動スイッチＳＷ3 がそれぞれインタフェース部９1 〜９3 を介してマイコン１に接続されている。なお、各スイッチＳＷ1 〜ＳＷ3 が操作された場合の動作については後述する。また、マイコン１には自己が有するタイマーのタイマー時間を可変調整するための可変抵抗器ＶＲが接続されており、この可変抵抗器ＶＲによって上記タイマー時間を任意に設定できる。さらに、マイコン１のタイマーによる保持時間のカウントを強制的にクリアするタイマークリアスイッチＳＷ4 が一対のスイッチ接続端子Ｔ6 ，Ｔ6 に外付けされ、このスイッチ接続端子Ｔ6 ，Ｔ6 はスイッチインタフェース部１０を介してマイコン１に接続されている。なお、タイマークリアスイッチＳＷ4 は親器Ａに備えるようにしてもよい。
【００１７】
本実施形態の基本的な動作は、外付けの明るさセンサＣ及び内蔵形の明るさセンサＣ’によって検出される周囲照度の少なくとも一方がしきい値以下の場合、すなわち、親器Ａの設置されている場所の周囲照度若しくは外付けの明るさセンサＣが設置されている任意の場所の周囲照度の少なくとも一方がある決められた照度以下の場合に、子器Ｂによって検知エリア内で人体が検知されると予め決められた保持時間（タイマー時間）だけ照明負荷Ｌを点灯させるとともに信号端子Ｔ3 ，Ｔ3 より無電圧の信号出力を行ない、上記周囲照度の何れもがしきい値以上の場合には、子器Ｂによって人体が検知されても照明負荷Ｌは点灯させないというものである。なお、上記のしきい値はマイコン１に接続されたしきい値切換スイッチＳＷｃによって２段階（明・暗）に切り換えることができるようになっている。また、信号端子Ｔ3 ，Ｔ3 から出力される無電圧信号は、後述するように例えば外部のパイロットランプのような表示器に与えられ、この表示器を用いて検知エリアでの人の存非がモニタ可能となる。
【００１８】
ところで、本実施形態には信号端子Ｔ3 ，Ｔ3 からの無電圧信号の出力の仕方に対応した２つの動作モードが存在する。第１のモードは、周囲照度に関係なく子器Ｂによる人体検知信号にのみ基づいてマイコン１が信号端子Ｔ3 ，Ｔ3 から無電圧信号を出力するモードであり、第２のモードは、信号端子Ｔ3 ，Ｔ3 からの無電圧信号の出力のタイミングを照明負荷Ｌの点灯のタイミングに一致させ、周囲照度がしきい値以下の場合にのみマイコン１が人体検知信号に基づいて無電圧信号を出力するモードである。また、これら２つのモードは、マイコン１に接続されている信号出力用明るさセンサ入／切スイッチＳＷｂのオン・オフに応じて、マイコン１が内部処理を変更することで切り換えるようになっており、設置場所や使用環境等に応じて適宜選択される。なお、照明負荷Ｌを点灯させておくタイマー時間（保持時間）は、マイコン１に接続された可変抵抗器ＶＲによって調整可能であって、本実施形態においては最小約１０秒から最大約３０分までの範囲の任意の時間に設定できる。
【００１９】
上述した第１及び第２のモード以外に、本実施形態では親器Ａの手動オンスイッチＳＷ1 、手動オフスイッチＳＷ2 、自動スイッチＳＷ3 が操作されることで設定される３つの動作モード（連続入モード、連続切モード、自動モード）がある。すなわち、連続入モードでは子器Ｂからの人体検知信号並びに明るさセンサＣ，Ｃ’により検出された周囲照度がマイコン１において無視され、照明負荷Ｌが常時点灯される。また、連続切モードでは子器Ｂによる人体検知がマイコン１において無視され、照明負荷Ｌが常時消灯される。さらに、自動モードでは明るさセンサＣ，Ｃ’により検出される周囲照度と子器Ｂによる人体検知の有無に応じて照明負荷Ｌが点灯・消灯される。なお、本実施形態では親器Ａに明るさセンサＣ’を内蔵することで明るさセンサＣ’の設置スペースを不要とするとともに、外付けの明るさセンサＣが接続されるセンサ接続端子Ｔ5 ，Ｔ5 を親器Ａに備えることで照明負荷Ｌをオンするか否かの照度判定に最適な場所に明るさセンサＣを設置することができ、使い勝手の向上が図れる。
【００２０】
次に、図２乃至図１０を参照して本実施形態の動作を説明する。
まず、上記第１のモードにおける動作を図２及び図３のフローチャート、図４及び図５のタイムチャート並びに図６及び図７のマイコン１の状態遷移図を参照して説明する。図４及び図５に示すように、電源投入直後はマイコン１の初期化等が終了して動作が安定するまでは待機状態となるとともに、自動的に上記自動モードに設定される。安定後、マイコン１は外付けの明るさセンサＣ及び内蔵形の明るさセンサＣ’からの検出信号をセンサインタフェース部８を介して取込み、両方の周囲照度が予め設定されたしきい値を越えているか否かを判断する。図４は少なくとも一方の明るさセンサＣ，Ｃ’で検出した周囲照度がしきい値以下の場合の動作を示すタイムチャートであり、同じく図６はその時のマイコン１の状態遷移図である。なお、図４の下段部分に記した記号▲１▼〜▲９▼は各々図６における記号▲１▼〜▲９▼を記した各状態に対応しており、後述する図５と図７においても同様である。この状態で子器Ｂが検知エリアで人体を検知し、子器インタフェース部７よりマイコン１に人体検知信号が入力されれば（図６及び図７においては「子器入力ＯＮ」と表記する）、マイコン１はリレー駆動部２に対してセット信号を出力してラッチングリレーをオン駆動させ、これにより主接点ｒ0 がオンになって照明負荷Ｌが点灯する（▲１▼→▲２▼）。マイコン１からはセット信号と同時に信号出力用リレー駆動部６に対してオン信号が出力されてリレーが駆動され、オン信号の出力中は信号接点ｒs がオンとなる。
【００２１】
ここで、マイコン１は人体検知信号の入力時点から自己のタイマーによるタイマー動作を開始し、可変抵抗器ＶＲによって設定された保持時間Ｔのカウントが終了するまで上記オン信号の出力を継続する（▲２▼）。但し、保持時間Ｔのカウント終了までに再度人体検知信号の入力があった場合には、マイコン１はその時点でタイマーをリトリガしてそのカウント値をクリアし、タイマーに最初からタイマー動作を行わせる（図４参照）。そして、タイマーによる保持時間Ｔのカウントが終了すれば、マイコン１はリレー駆動部２に対して主接点ｒ0 をオフするためのリセット信号を出力するとともに、信号出力用リレー駆動部６へのオン信号の出力を停止する。それから、従接点状態検出部３によって従接点ｒ1 がオフしたことが検出されれば、マイコン１では主接点ｒ0 も正常にオフされたものと判断し、子器Ｂからの人体検知信号の入力待ちの状態に戻る（▲２▼→▲１▼）。
【００２２】
一方、リセット信号が出力されたにもかかわらず従接点状態検出部３によって従接点ｒ1 がオフしたことが検出されなければ、主接点ｒ0 が溶着している可能性があると判断でき、このような場合には、マイコン１は図２のメインルーチンから主接点ｒ0 の溶着を解除するためのサブルーチン（図３参照）へ分岐する。このサブルーチンでは、マイコン１はカウンタを初期値（＝１）にセットした後でリレー駆動部２に対してセット信号を出力し、さらに続いてリセット信号を出力する。このように、セット信号とリセット信号を比較的に短時間のうちに続けて出力することにより、リレー駆動部２のラッチングリレーにチャタリングのような機械的な振動が生じる。したがって、主接点ｒ0 の溶着が比較的に程度の軽いものであれば、上記振動によって溶着した部分を切り離してオフさせることができる。そして、主接点ｒ0 がオフすればマイコン１はメインルーチンに戻る。なお、主接点ｒ0 がオフできない場合には、予めプログラム上で設定された回数ｎだけ上記の動作を繰り返し、それでも主接点ｒ0 がオフできない場合には、もはや主接点ｒ0 は重度に溶着しているものと考えられるから、マイコン１はサブルーチンを終了して、例えば主接点ｒ0 の溶着を知らせるための処理（警告ランプの点灯表示など）を実行する。なお、繰り返しの回数は任意に設定可能であるが、実使用上は６回程度に設定することが望ましい。
【００２３】
ところで、自動モードにおいて手動オフスイッチＳＷ2 が操作された場合には連続切モードに移行し（▲１▼→▲４▼）、マイコン１は照明負荷Ｌが点灯中であれば直ちにリセット信号を出力して消灯させる。但し、自動モードで照明負荷Ｌが点灯中に手動オフスイッチＳＷ2 が操作されれば、無電圧信号出力のみは保持時間Ｔが経過するまで継続して出力される（▲２▼→▲３▼→▲４▼）。また、自動モードにおいて手動オンスイッチＳＷ1 が操作された場合には連続入モードに移行し（▲１▼→▲６▼）、マイコン１は照明負荷Ｌを常時点灯させるとともに信号端子Ｔ3 ，Ｔ3 間に接続された信号接点ｒs をオンのままに保持して無電圧信号を出力し続ける。さらに、連続切モードあるいは連続入モードにおいて各々手動オンスイッチＳＷ1 及び手動オフスイッチＳＷ2 が操作された場合には、それぞれ連続入モード及び連続切モードに移行する（▲６▼→▲８▼→▲１▼、▲４▼→▲１▼）。
【００２４】
ここで、自動モードにおける照明負荷Ｌの点灯中にタイマークリアスイッチＳＷ4 がオンされた場合には、マイコン１は自己のタイマーのカウント値をクリアするとともに、リレー駆動部２に対してリセット信号を出力して照明負荷Ｌをオフし、同時に信号出力用リレー駆動部６に対してオン信号の出力を停止する（▲６▼→▲８▼→▲１▼）。つまり、本実施形態によればタイマークリアスイッチＳＷ4 によって自動モードのまま照明負荷Ｌをオフすることができるから、手動オフスイッチＳＷ2 で照明負荷Ｌをオフさせた場合に比較して、次に人体検知信号の入力があっても照明負荷Ｌがオンとならないというようなことがなく、使い勝手を向上させることができるという利点がある。
【００２５】
なお、周囲照度がしきい値以上の場合は、図２、図５及び図７に示すように、手動オンスイッチＳＷ1 が操作されて連続入モードに移行しない限りは、照明負荷Ｌが消灯状態のままとなり、自動モード、連続入モードあるいは連続切モードの何れのモードであっても、子器Ｂからの人体検知信号が入力されれば、マイコン１は保持時間Ｔだけ信号端子ｒs をオンとして無電圧信号を出力する。
【００２６】
次に、第２のモードにおける動作を図８のフローチャート、図９及び図１０のタイムチャートを参照して説明する。第１のモードにおけると同様に、電源投入から各部が安定した後、マイコン１は外付けの明るさセンサＣ及び内蔵形の明るさセンサＣ’からの検出信号をセンサインタフェース部８を介して取込み、両方の周囲照度が予め設定されたしきい値を越えているか否かを判断する。図９は少なくとも一方の周囲照度がしきい値以下の場合の動作を示すタイムチャートである。この状態で子器Ｂが人体を検知し、子器インタフェース部７よりマイコン１に人体検知信号が入力されれば、マイコン１はリレー駆動部２に対してセット信号を出力してラッチングリレーをオン駆動させる。これにより主接点ｒ0 がオンになって照明負荷Ｌが点灯する。マイコン１からはセット信号と同時に信号出力用リレー駆動部６に対してオン信号が出力されてリレーが駆動され、オン信号の出力中は信号接点ｒs がオンとなって無電圧信号が出力される。そして、マイコン１のタイマーが保持時間Ｔのカウントを終了すれば、リレー駆動部２に対してリセット信号を出力して照明負荷Ｌを消灯させるとともに、信号出力用リレー駆動部６に対してオン信号の出力を停止する。それから、従接点状態検出部３によって従接点ｒ1 がオフしたことが検出されれば、マイコン１では主接点ｒ0 も正常にオフされたものと判断し、子器Ｂからの人体検知信号の入力待ちの状態に戻る。なお、従接点状態検出部３によって従接点ｒ1 のオフが検出されず、主接点ｒ0 が溶着したと判断されれば、マイコン１は図３のサブルーチンへ分岐して既に説明した動作を実行する。
【００２７】
また、自動モードにおいて手動オフスイッチＳＷ2 が操作された場合には連続切モードに移行し、マイコン１は照明負荷Ｌが点灯中であれば直ちにリセット信号を出力して消灯させるとともに、無電圧信号出力も停止する。一方、自動モードにおいて手動オンスイッチＳＷ1 が操作された場合には連続入モードに移行し、マイコン１は照明負荷Ｌを常時点灯させるとともに、子器Ｂが人体を検知すれば信号端子Ｔ3 ，Ｔ3 間に保持時間Ｔだけ無電圧信号を出力する。さらに、連続切モードあるいは連続入モードにおいて各々手動オンスイッチＳＷ1 及び手動オフスイッチＳＷ2 が操作された場合には、それぞれ連続入モード及び連続切モードに移行する。なお、自動モードあるいは連続入モードで照明負荷ＬがオンしているときにタイマークリアスイッチＳＷ4 をオンすれば、マイコン１のタイマーのカウント値がクリアされて照明負荷Ｌがオフとなる。
【００２８】
一方、周囲照度がしきい値以上の場合は、図１０に示すように手動オンスイッチＳＷ1 が操作されて連続入モードに移行しない限りは、照明負荷Ｌが消灯状態のままとなり、且つ子器Ｂが人体を検知しても信号端子Ｔ3 ，Ｔ3 から無電圧信号は出力されない。なお、本実施形態では、上記第１のモード並びに第２のモードの何れのモードにおいても、マイコン１に接続された明るさセンサ入／切スイッチＳＷａをオンすることでマイコン１において明るさセンサＣ，Ｃ’による周囲照度の検出結果を無視し、子器Ｂによる人体検知によってのみ照明負荷Ｌをオン・オフ制御することができる。つまり、明るさセンサ入／切スイッチＳＷａで上記のように明るさセンサＣ，Ｃ’の機能をオフすることにより、親器Ａや子器Ｂの施工後の点検作業が容易に行えるようになるという利点がある。
【００２９】
次に、本実施形態の親器Ａの構造を図１１乃至図１５を参照して説明する。
上述した親器Ａの回路は、図１４に示すように２枚のプリント基板２１1 ，２１2 に実装されており、各プリント基板２１1 ，２１2 はフラットケーブルのような接続ケーブル２２によって接続されている。また、これらのプリント基板２１1 ，２１2 は、合成樹脂製のボディ２０ａとカバー２０ｂから成る器体２０に収納される。器体２０は、ＪＩＳ（日本工業規格）などにおいて規格化されている配線器具用の所謂２連の取付枠４０に取り付けることが可能な寸法に形成されている。なお、２連の取付枠４０は、図１１に示すように通常の規格化された取付枠を左右に並べて取付用の窓部を一体として形成されるものである。
【００３０】
カバー２０ｂの前面には手動オンスイッチＳＷ1 、手動オフスイッチＳＷ2 、自動スイッチＳＷ3 、明るさセンサ入／切スイッチＳＷａ、信号出力用明るさセンサ入／切スイッチＳＷｂ及びしきい値切換スイッチＳＷｃの各スイッチの操作部２３1 〜２３6 と、タイマーの保持時間Ｔを調整する可変抵抗器ＶＲのスライド式の操作つまみ２４と、プリント基板２１2 に実装されているＣｄＳなどから成る内蔵形の明るさセンサＣ’の受光面を外部に臨ませる受光窓２５と、照明負荷Ｌの点灯状態を表示する動作表示部２６とが配設されている。なお、図１５に示すように、明るさセンサ入／切スイッチＳＷａ、信号出力用明るさセンサ入／切スイッチＳＷｂ及びしきい値切換スイッチＳＷｃにはスライド式のものが用いられている。また、これら明るさセンサ入／切スイッチＳＷａ、信号出力用明るさセンサ入／切スイッチＳＷｂ及びしきい値切換スイッチＳＷｃの操作部２３4 〜２３6 並びに可変抵抗器ＶＲの操作つまみ２４は、不用意に操作されることがないようにカバー２０ｂの前面に開閉自在に取り付けられた扉２７によって隠されている。この扉２７は、一端部においてカバー２０ｂの前面に設けられた溝部２０ｃに回動自在に係止されており、扉２７をカバー２０ｂの前面に対して略直角開いた状態で上記溝部２０ｃからカバー２０ｂの内側に押し込むことが可能になっている。したがって、保持時間Ｔを調整する際に扉２７を固定することができる。
【００３１】
また、略函形に形成されたボディ２０ａの片側内部には、電源端子Ｔ1 ，Ｔ2 及び負荷端子Ｔ2 ，Ｔ2 となる速結端子２８が納装され、ボディ２０ａの底面には速結端子２８に接続される電線を挿入するための電線挿入孔２９が設けてある。さらに、ボディ２０ａの底面には、信号端子Ｔ3 ，Ｔ3 、子器接続端子Ｔ4 ，Ｔ4 、センサ接続端子Ｔ5 ，Ｔ5 、スイッチ接続端子Ｔ6 ，Ｔ6 を構成するねじ式端子３０が設けてある。
【００３２】
上述のように構成された親器Ａの器体２０は、取付枠４０の窓部に挿入された状態で、カバー２０ｂの側面に突設された複数対の係合爪３５…を取付枠４０の側片に形成された係合孔４１…に係合させることによって取付枠４０に固定されるのである。したがって、取付枠４０を用いる埋込型の配線器具と取付枠４０などを共用することができ、取付用の部材をあらたに製造する必要がないから製造コストの低減につながり、また施工時においても配線器具と同様の施工技術を適用できるから新たな技術の習得が不要になるのである。
【００３３】
なお、本実施形態では照明負荷Ｌをオン・オフするスイッチ手段としてラッチングリレーを例示したが、スイッチ手段はこれに限定されるものではなく、所謂シングルスティープルリレー（単安定リレー）や半導体スイッチなどを用いることも可能である。
図１６は本実施形態の負荷制御装置をオフィスビルの会議室などに配設し、１台の親器Ａに複数の子器Ｂ…と複数の照明負荷Ｌ…（例えば、蛍光灯照明器具など）を接続した場合の概略構成図である。親器Ａは取付枠４０を用いて壁に配設され、交流電源ＡＣと複数の照明負荷Ｌ…とに電源線Ｌｐにて接続されるとともに、複数の子器Ｂ…が２線の信号線Ｌｓによって子器接続端子Ｔ4 ，Ｔ4 に接続されている。また、親器Ａの信号端子Ｔ3 ，Ｔ3 には、会議室の扉Ｄの外に設置されている表示ランプＬａに交流電源ＡＣからの電源供給を行う表示器トランスＴｒが接続されている。なお、図示は省略しているが親器Ａのセンサ接続端子Ｔ5 ，Ｔ5 には会議室内の所定の場所に配設されている外付けの明るさセンサＣが信号線を介して接続されている。一方、子器Ｂ…は天井イに配設されており、下方に向かって拡がる検知エリアＸ内の人の存非を検出する。そして、周囲照度がしきい値以下であって且つ子器Ｂ…によって人体が検知されると、親器Ａは複数の照明負荷Ｌ…をオンするとともに、表示器トランスＴｒに信号を出力して表示ランプＬａへの電源供給を行わせて表示ランプＬａを点灯させる。つまり、この表示ランプＬａの点灯／消灯によって外から会議室内の人の存非をモニタすることができる。
【００３４】
このように本実施形態によれば、照明制御の対象となる範囲が一般家庭におけるよりも広い上記会議室等の場所でも、１台の親器Ａで複数の子器Ｂ…による人体検知を管理して複数の照明負荷Ｌ…のオン・オフ制御を行うことができる。
【００３５】
【発明の効果】
請求項１の発明は、商用電源から照明負荷への電源供給を入切するスイッチ手段と、照明負荷への電源供給が保持される保持時間をカウントするタイマー手段と、スイッチ手段をスイッチング制御しタイマー手段による保持時間のカウントが終了するまで照明負荷をオンさせる制御手段と、人体から放射される熱線を検出する熱線センサと、熱線センサの検出出力に基づいて検知エリアでの人の存在が検出されると検知出力を発生する判別手段と、周囲温度を検出する明るさセンサと、タイマー手段による保持時間のカウントをクリアするタイマークリアスイッチとを備え、制御手段は、明るさセンサにより検出された周囲照度が所定値以下であり且つ判別手段から検知出力が発生している場合にスイッチ手段を制御して照明負荷をオンするとともに、タイマークリアスイッチにより保持時間のカウントがクリアされたときにスイッチ手段を制御して照明負荷をオフする負荷制御装置であって、明るさセンサにより検出された周囲温度が所定値以下であり且つ判別手段から検知出力が発生している場合に制御手段によって制御されて外部に信号を出力する信号出力手段と、明るさセンサの検出照度に基づいた制御手段による信号出力手段の制御を入／切する信号出力用明るさセンサ入／切スイッチとを備えたので、タイマークリアスイッチによって保持時間のカウントをクリアすることで負荷を強制的にオフさせることができ、しかも、次に判別手段から検知出力が発生すればタイマー手段が最初からカウントを開始して所定の保持時間だけ照明負荷がオンとなるから、使い勝手が向上するという効果がある。また、周囲照度に応じて必要な場合にのみ照明負荷をオンさせることができ、照明負荷の無駄な点灯をなくして省エネルギ化が図れるという効果がある。さらに、信号出力用明るさセンサ入／切スイッチを切れば、照明負荷のオン・オフとは無関係に熱線センサによる人体検知の有無を信号出力手段からの信号に基づいて外部でモニタすることができるという効果がある。
【００３７】
請求項２の発明は、少なくともスイッチ手段、タイマー手段並びに制御手段が納装される器体を備え、この器体の内部に明るさセンサを配設して成るので、明るさセンサの設置スペースが不要となり、省施工化が図れるという効果がある。
請求項３の発明は、少なくともスイッチ手段、タイマー手段並びに制御手段が納装される器体を備え、この器体に明るさセンサを接続するためのセンサ接続端子を設けたので、照明負荷をオンするか否かの照度判定に最適な場所に明るさセンサを設置することができ、使い勝手の向上が図れるという効果がある。
【００３８】
請求項４の発明は、明るさセンサの検出照度に基づいた制御手段によるスイッチ手段のスイッチング制御を入／切する明るさセンサ入／切スイッチを備えたので、周囲照度に無関係に熱線センサによる人体検知にのみ基づいて照明負荷をオン・オフさせることができ、施工後の点検作業が容易に行えるという効果がある。
【図面の簡単な説明】
【図１】実施形態を示すブロック図である。
【図２】同上の動作を説明するためのフローチャートである。
【図３】同上の動作を説明するためのフローチャートである。
【図４】同上の動作を説明するためのタイムチャートである。
【図５】同上の動作を説明するためのタイムチャートである。
【図６】同上の動作を説明するためのマイコンの状態遷移図である。
【図７】同上の動作を説明するためのマイコンの状態遷移図である。
【図８】同上の動作を説明するためのフローチャートである。
【図９】同上の動作を説明するためのタイムチャートである。
【図１０】同上の動作を説明するためのタイムチャートである。
【図１１】同上における親器を示す正面平面図である。
【図１２】同上における親器を示す背面図である。
【図１３】同上における親器を示し、図１１のＸ−Ｘ線断面図である。
【図１４】同上における親器のボディとカバーとを開いた状態の平面図である。
【図１５】同上における親器の要部を示し、（ａ）は平面図、（ｂ）は側面断面図である。
【図１６】同上の使用状態の一例を示す概略構成図である。
【符号の説明】
Ａ  親器
Ｂ  子器
Ｃ，Ｃ’  明るさセンサ
ＡＣ  商用電源
Ｌ  照明負荷
１  マイコン
２  リレー駆動部
ｒ1   主接点
ＶＲ  可変抵抗器
ＳＷ4   タイマークリアスイッチ
【図１】
0003826427.tif 000002
【図２】
0003826427.tif 000003
【図３】
0003826427.tif 000004
【図４】
0003826427.tif 000005
【図５】
0003826427.tif 000006
【図６】
0003826427.tif 000007
【図７】
0003826427.tif 000008
【図８】
0003826427.tif 000009
【図９】
0003826427.tif 000010
【図１０】
0003826427.tif 000011
【図１１】
0003826427.tif 000012
【図１２】
0003826427.tif 000013
【図１３】
0003826427.tif 000014
【図１４】
0003826427.tif 000015
【図１５】
0003826427.tif 000016
【図１６】
0003826427.tif 000017